(57)【要約】      （修正有）【課題】コンピュータの操作に熟練を要することなく、バランスの取れた献立を選択できるようにする。【解決手段】一食材の画像と共にその成分分量やカロリーなどが記載された多数のカードを選択して台１上に配置することで献立を作るカード式献立器において、前記カードは、主食、主菜、副菜、デザートとおやつ等に分類し、それぞれの分類相互に異なる一定の外形にするとともに、前記台１には、前記全分類のカードを配置する場所を設け、当該場所は、それぞれの分類のカード外形と同じ形状にしてあることを特徴とする。【選択図】図１
2007133340.tif 000002
【特許請求の範囲】
【請求項１】
一食材の画像と共にその成分分量やカロリーなどが記載された多数のカードを選択して台上に配置することで献立を作るカード式献立器において、前記カードは、主食、主菜、副菜、デザートとおやつ等に分類し、それぞれの分類相互に異なる一定の外形にするとともに、前記台には、前記全分類のカードを配置する場所を設け、当該場所は、それぞれの分類のカード外形と同じ形状にしてあることを特徴とするカード式献立器
【請求項２】
請求項１に記載のカード式献立器において、前記カードにはその食材の成分分量やカロリーを電子化記録した記録媒体が設けられていて、前記台のカード配置場所には、前記記録媒体を読取る読取器が設けられ、当該読取器からの読取りデータを成分毎に集計し表示する電子計算機が前記台に設けてあることを特徴とするカード式献立器
【請求項３】
前記請求項２に記載のカード式献立器において、前記台には、各カード設置場所に対応して、摂取量を入力する入力手段を設け、前記電子計算機には、前記入力手段による摂取量に基づき、献立成分量を演算して摂取成分量を算定表示するようにしてあることを特徴とするカード式献立器
【請求項４】
前記請求項２又は３に記載のカード式献立器において、対象者を特定する記号を入力する入力機器と、他の箇所に設置したコンピュータに設定した献立などを送信する送信機能を前記電子計算機に設けたことを特徴とするカード式献立器
【発明の詳細な説明】
【技術分野】
【０００１】  本発明は、一食材の画像と共にその成分分量やカロリーなどが記載された多数のカードを選択して台上に配置することで献立を作るカード式献立器に関し、バランスの取れた献立を容易に設定できるようにするものに関する。
【背景技術】
【０００２】この種カード式献立器としては、実用新案登録第３０６４３４５号、実用新案登録第３０９２８８１号に示されて従来より知られている。これら従来公知の手動式献立器では、食材の分類や成分をカードから認識してこれらを選択し、選択した複数のカードの成分分量やカロリーを計算する手間を要していた。
これに対し、特開２００３−２８８４１８号等に示されたコンピュータを使用した献立作成では、上記のような手間を省くことができたるが、コンピュータの操作を習得する必要があるという新たな問題が生じていた。
【発明の開示】
【発明が解決しようとする課題】
【０００３】
【０００４】本発明は、このような問題を解決し、コンピュータの操作に熟練をようすることなく、バランスの取れた献立を選択できるようにすることを目的とする。
【課題を解決するための手段】
【０００５】本第一の発明では、この目的を達成するため、前記カードは、主食、主菜、副菜、デザートとおやつ等に分類し、それぞれの分類相互に異なる一定の外形にするとともに、前記台には、前記全分類のカードを配置する場所を設け、当該場所は、それぞれの分類のカード外形と同じ形状にしてあることを特徴とする構成を採用した。
【発明の効果】
【０００６】このようにすることで、主食、主菜、副菜、デザートとおやつ等に該当する食材を容易に選別でき、バランスの良好な献立をつくることができるようになった。【０００７】さらに、前記カードにはその食材の成分分量やカロリーを電子化記録した記録媒体が設けられていて、前記台のカード配置場所には、前記記録媒体を読取る読取器が設けられ、当該読取器からの読取りデータを成分毎に集計し表示する電子計算機が前記台に設けてあることを特徴とする構成を採用することにより、選択したカードに記録されたデータを読み取り、成分毎に集計表示するので献立の成分毎の集計を省くことができた。
また、電子計算機の操作においてわずらわしいコマンドあるいはデータの選択作業がまったく不要となるのでコンピュータの使用に不慣れな者でも容易に使用することができる。【０００８】そして、前記台には、各カード設置場所に対応して、摂取量を入力する入力手段を設け、前記電子計算機には、前記入力手段による摂取量に基づき、献立成分量を演算して摂取成分量を算定表示するようにしてあることを特徴とする構成を採用することにより、各食材の摂取量に基づく摂取成分量を算定することができるので、実際の摂取成分に基づく健康管理が行いやすくなる。【０００９】また、対象者を特定する記号を入力する入力機器と、他の箇所に設置したコンピュータに設定した献立を送信する送信機能を前記電子計算機（Ｃ）に設けたことを特徴とする構成を採用することにより、多数の患者を対象にその献立を患者の嗜好にあわせ設定する場合でも、その集約が自動的に行えるようになった。
【発明を実施するための最良の形態】
【００１０】以下に、本発明の最良の実施形態を例示するが、本発明はこれによって限定されるものではない。
【実施例１】
【００１１】（１）は台であって、箱型フレーム（７）の上面に設置されている。
この台（１）には、楕円状の主菜置場（２）（３）、正四角状の副菜置場（４）、円形の主食置場（５）、三角形のデザートとおやつ置場（６）が設けてある。
これら各置場は、マイクロチップ（Ｐ）を読取る読み取り端子により構成されていて、その置場に各カード（１０）（１１）（１２）（１３）を置くと、それらに設けたマイクロチップ（Ｐ）に記録されたデータを読取るようにしてある。【００１２】前記主菜置場（２）（３）と同型同大の主菜カード（１０）、前記副菜置場（４）同型同大の副菜カード（１１）、前記主食置場（５）と同型同大の主食カード（１２）、前記デザートとおやつ置場（６）と同型同大のデザートとおやつカード（１３）は、それぞれに該当する食材を一品ずつ写真（イラスト）を表面に表示し、裏面には記録媒体の一例であるマイクロチップ（Ｐ）が固定してある。
それぞれのカードのマイクロチップ（Ｐ）には、表面に表示した食材の成分分量及びカロリー等のデータが一定のフォーマットで記録してある。【００１３】ケース（７）内は、前記各置場（２）（３）（４）（５）（６）に接続された電子計算機（Ｃ）が設けてあり、この電子計算機（Ｃ）による計算結果を表示するディスプレー（Ｄ）が前記台（１）に固定してある。【００１４】前記電子計算機（Ｃ）は、一定時間間隔（例えば、１／１０秒以下の間隔）で各カード置場（２）（３）（４）（５）（６）から順次データを読み込み一時記憶し、読取ったデータを規定のフォーマットに基づいて、各成分やカロリーに分配し、それぞれを加算集計し、集計結果を前記ディスプレー（Ｄ）の定めた表示箇所に表示することを繰り返すものである。【００１５】前記ディスプレー（Ｄ）は液晶またはＬＥＤなどの表示部材をそれぞれの成分毎に数値表示できるように配置したものである。【００１６】以上のように構成することにより、献立を立てるに当たり、カード（１０）（１１）（１２）（１３）を多数準備し、台（１）にその外形により選択することで、ディスプレー（Ｄ）にそれらのカロリーと各成分の合計を表示させることができるようになった。
このとき、食材の選択はカードの外形と表面の画像によって行えるので、電子計算機（Ｄ）のプログラムを操作する必要はまったくない。【００１７】電子計算機（Ｃ）は一般に市販されているカード型電卓程度の性能で充分であるから、ケース（７）の厚さを数ｍｍ程度にして持ち運びが容易に行えるようにすることも可能である。
【実施例２】
【００１８】前記台（１）に患者番号を表示する表示部（２０）と患者番号を入力するキー（Ｔ）を設け、前記電子計算機（Ｃ）にＥｎｔｅｒキー（Ｅ）によって送信する無線送信機能を追加する。
また、この電子計算機（Ｃ）には、前記キー（Ｔ）により指定された患者番号と各カード置場（２）（３）（４）（５）（６）におかれたカードの食品名（又はそのＩＤ番号）を一定のフォーマットで信号化するシステムを設ける。
一方厨房（Ｋ）には、前記電子計算機（Ｃ）から送信された信号を受信し、その信号を解析して各患者毎の献立を記録するシステムを持つコンピュータ（ＰＣ）を設置する。
その他は前記実施例１と同様とした。【００１９】このようにして、患者が選択した献立をそのつど厨房（Ｋ）に送信し、厨房（Ｋ）にて献立を受信できるようにした。
この結果、患者個々の献立を容易に集約でき、食事療法をより一層効果的に進めることが可能となった。
【実施例３】
【００２０】前記実施例２にカード置場（２）（３）（４）（５）（６）それぞれに対応して、「全」、「半」、「０」をそれぞれ表示した３個のボタンを一組とする摂取量ボタン（２Ａ）（３Ａ）（４Ａ）（５Ａ）（６Ａ）を設けてある。
これら摂取量ボタンは、それぞれの成分分量及びカロリーを「全」では１００％、「半」では５０％、「０」では０％に計算する信号を、電子計算機（Ｃ）に入力するものである。
また、年を入力する年設定スイッチ（３１）、月を入力する月設定スイッチ（３２）、日を入力する日設定スイッチ（３３）そして、朝食・昼食・夕食・夜食・おやつなどの食事時期を入力する時期設定スイッチ（３４）が設けてある。これらスイッチ（３１）〜（３４）はロータリースイッチを組み合わせて構成してあり、患者番号とひとつとなって、設定した献立を患者別年月日および時期別に電子計算機（Ｃ）に記録できるようにしてある。
このようにすることで、献立を摂取した患者の摂取量に基づく成分量やカロリーを計算する場合は、患者番号と年月日及び時期を入力し、各食材の摂取量をその設置場所近くの摂取ボタンを選択入力することで、算定できるようになった。
【実施例４】
【００２１】本実施例は、前記実施例２に飲み物カード（１４）を追加した場合の例を示す。六角形の飲み物置場（８）及び摂取ボタン（８Ａ）を台（１）に追加し、飲み物カード（１４）の外形を前記置場（８）と同型同大に形成して追加した。
その他は前記実施例３と同様とした。【００２２】このように、必要により、食物の分類を追加したり削除することも本発明の範疇に含まれるものである。
また、食物の分類を上記以外の観点で行った場合にも、対応可能なことは明白である。【００２３】カードと台との固定は、面テープ、フックなどを使用することが可能である。
なお、マイクロチップの読み取りに影響しないように配置できる場合は、磁石と鉄板の組み合わせも使用可能である。【００２４】なお、このような電子計算機（Ｃ）やディスプレー（Ｄ）を使用しない場合は、一枚のボードに図１に示す各置場（２）（３）（４）（５）（６）の外形を描画した板を台（１）とすることも可能である。
この場合、各カードにはその裏面又は表面に、カロリーや成分分量を表示しておけばよい。
また、カード型電卓を付属させておけば、それぞれのカードに表示された成分分量とカロリーを計算することが容易になる。
【産業上の利用可能性】
【００２５】本発明は、腎臓病、糖尿病などの食事制限を受ける病人に対する献立を作るのに、患者の嗜好などを反映したものとするときに病室に持ち運びしてこれらの患者自身がカードを選択し、献立を作り上げるような使用を可能にすることができた。
【図面の簡単な説明】
【図１】実施例１を示す平面図
【図２】図２のＡ−Ａ断面図
【図３】カードの表面を示す平面図
【図４】カードの裏面を示す底面図
【図５】実施例２を示す模式図
【図６】実施例３を示す平面図
【図７】実施例４を示す平面図
【図８】飲み物カードの表面を示す平面図
【符号の説明】
【００２６】（１）台
（２）（３）主菜置場
（４）副菜置場
（５）主食置場
（６）デザートとおやつ置場
（７）フレーム
（８）飲み物置場
（２Ａ）（３Ａ）（４Ａ）（５Ａ）（６Ａ）（８Ａ）摂取ボタン
（１０）主菜カード
（１１）副菜カード
（１２）主食カード
（１３）デザートとおやつカード
（１４）飲み物カード
（Ｃ）電子計算機
（Ｄ）ディスプレー
（２０）患者番号表示部
（３１）年設定スイッチ
（３２）月設定スイッチ
（３３）日設定スイッチ
（３４）時期設定スイッチ
（Ｔ）患者番号入力キー
（Ｅ）Ｅｎｔｅｒキー
（Ｐ）マイクロチップ
【図１】
2007133340.tif 000003
【図２】
2007133340.tif 000004
【図３】
2007133340.tif 000005
【図４】
2007133340.tif 000006
【図５】
2007133340.tif 000007
【図６】
2007133340.tif 000008
【図７】
2007133340.tif 000009
【図８】
2007133340.tif 000010